(57)【要約】【課題】伝送効率を維持すると共に通信品質を向上させること。【解決手段】無線伝送装置１は、他の無線伝送装置において、１つのデータから分割された分割データであって、分割データの識別情報を含む分割データを受信する通信部２と、識別情報に関連付けられた複数の組立メモリ３＿１〜３＿Ｎと、分割データに設定された識別情報を用いて、分割データをいずれかの組立メモリに振り分けるメモリ振分部４と、を備える無線伝送装置である。【選択図】図１
2019134251.tif 000002
【特許請求の範囲】
【請求項１】
他の無線伝送装置において、１つのデータから分割された分割データであって、前記分割データの識別情報を含む分割データを受信する通信部と、
前記識別情報に関連付けられた複数の組立メモリと、
前記分割データに設定された前記識別情報を用いて、前記分割データをいずれかの組立メモリに振り分けるメモリ振分部と、を備える無線伝送装置。
【請求項２】
前記識別情報は、優先度および宛先の少なくとも１つを含む、請求項１に記載の無線伝送装置。
【請求項３】
前記複数の組立メモリは、前記優先度毎に設けられ、
前記メモリ振分部は、前記分割データに設定された前記優先度に対応した組立メモリに前記分割データを振り分ける、請求項２に記載の無線伝送装置。
【請求項４】
前記複数の組立メモリは、前記宛先毎に設けられ、
前記メモリ振分部は、前記分割データに設定された前記宛先に対応した組立メモリに前記分割データを振り分ける、請求項２に記載の無線伝送装置。
【請求項５】
前記複数の組立メモリは、前記優先度および前記宛先の組み合わせ毎に設けられ、
前記メモリ振分部は、前記分割データに設定された前記優先度および前記宛先の組み合わせに対応した組立メモリに前記分割データを振り分ける請求項２に記載の無線伝送装置。
【請求項６】
前記複数の組立メモリは、前記分割データに設定された分割元のデータの先頭を示す情報および順序情報にさらに関連付けられて設けられ、
前記メモリ振分部は、前記分割データに設定された分割元のデータの先頭を示す情報および順序情報をさらに用いて、前記分割データの識別情報が同一である分割データに対して、第１のデータから分割された第１の分割データと、前記第１のデータと異なる第２のデータから分割された第２の分割データと、を異なる組立メモリに振り分ける、請求項１〜５のいずれか１項に記載の無線伝送装置。
【請求項７】
前記複数の組立メモリによって、前記分割データから復元された複数のデータが同時に出力された場合、各データに設定された優先度に基づく順序で前記データを送信する制御部をさらに備える、請求項１〜６のいずれか１項に記載の無線伝送装置。
【請求項８】
少なくとも１つの補助メモリをさらに備え、
前記メモリ振分部は、前記複数の組立メモリの各々に対して、前記分割データから分割元のデータに復元する際に、復元中の分割データが所定の条件を満たしているか否かを判定し、前記復元中の分割データが所定の条件を満たす組立メモリが存在する場合、当該組立メモリから前記復元中の分割データをいずれかの補助メモリに退避させる、請求項１〜７のいずれか１項に記載の無線伝送装置。
【請求項９】
前記所定の条件は、前記いずれかの組立メモリにおいて、第３のデータから分割された分割データの全てが格納される前に、前記第３のデータと異なる第４のデータから分割された分割データが格納されたことを含む条件である、請求項８に記載の無線伝送装置。
【請求項１０】
前記所定の条件は、前記いずれかの組立メモリにおいて、第３の分割データが格納された後、所定時間内に、前記第３の分割データと異なる第４の分割データが格納されないことを含む条件である、請求項８または９に記載の無線伝送装置。
【請求項１１】
他の無線伝送装置において、１つのデータから分割された分割データであって、前記分割データの識別情報を含む分割データを受信し、
前記分割データに設定された前記識別情報を用いて、前記識別情報に関連付けられた複数の組立メモリのうちのいずれかの組立メモリに振り分ける、データ処理方法。
【請求項１２】
他の無線伝送装置において、１つのデータから分割された分割データであって、前記分割データの識別情報を含む分割データを受信することと、
前記分割データに設定された前記識別情報を用いて、前記識別情報に関連付けられた複数の組立メモリのうちのいずれかの組立メモリに振り分けることと、をコンピュータに実行させるプログラム。
【請求項１３】
第１の無線伝送装置と、前記第１の無線伝送装置と通信を行う第２の無線伝送装置と、を備え、
前記第１の無線伝送装置は、
１つのデータから分割データに分割し、前記分割データに前記分割データの識別情報を設定する分割部と、
前記分割データを送信する第１の通信部と、を備え、
前記第２の無線伝送装置は、
前記第１の無線伝送装置から前記分割データを受信する第２の通信部と、
前記識別情報に関連付けられた複数の組立メモリと、
前記分割データに設定された前記識別情報を用いて、前記分割データをいずれかの組立メモリに振り分けるメモリ振分部と、を備える無線伝送システム。
【請求項１４】
前記識別情報は、優先度および宛先の少なくとも１つを含む、請求項１３に記載の無線伝送システム。
【発明の詳細な説明】
【技術分野】
【０００１】
本発明は、無線伝送装置、データ処理方法、プログラムおよび無線伝送システムに関する。
【背景技術】
【０００２】
パケット伝送ネットワークにおいて、無線回線を介してデータを伝送する場合、１つの無線回線のみでは伝送できる容量が小さい。そのため、複数の無線回線を束ねて仮想的に１本の無線回線として伝送容量を拡張する場合がある。つまり、伝送されるデータを複数の無線回線に分散させることによって、無線回線全体として伝送容量を確保する。これにより、大容量のデータを伝送することが可能となる。複数の無線回線を仮想的に一纏めにした仮想的な回線でデータを伝送することを、トラフィックボンディングという。
【０００３】
トラフィックボンディングでは、伝送されるパケットを複数のデータフレームに分割し、分割されたデータフレームを各無線回線にラウンドロビンに振り分けることによって、複数の無線回線を束ねた無線帯域を最大限に活用して大容量伝送を可能にする。
【０００４】
上記技術に関連して、例えば、特許文献１には、伝送装置間に形成される複数の回線で伝送される伝送フレームをデータリンク層で回線毎に多重分離するリンクアグリゲーション方式を備える伝送システムが開示されている。伝送装置は、アグリゲーションスイッチを有する。このアグリゲーションスイッチは、外部のネットワークで使用されるネットワークフレームをＭＲＬ（Ｍｕｌｔｉ−Ｒａｄｉｏ−Ｌｉｎｃ）フレームに組み立て直す。アグリゲーションスイッチは、無線リンク毎にＭＲＬフレームを振り分けるとともに、無線リンク毎のＭＲＬフレームを集約してネットワークフレームに組み立て直す。
【０００５】
また、複数の無線回線を介して伝送されるトラフィックの遅延を抑制するために、伝送されるトラフィックに対して優先度を設け、優先度が高いトラフィック（パケット）の遅延を改善し、通信品質を向上する技術も検討されている（例えば、特許文献２）。特許文献２には、複数の無線回線を介して伝送装置間を伝送するパケットに優先度を設定する。優先度が高いパケットは無線回線の状態が良い無線回線を介して伝送される。優先度が低いパケットは固定長のセルに分割され、複数の無線回線を介して送信し、受信側の無線伝送装置において、固定長のセルをパケットに組立てることが開示されている。
【先行技術文献】
【特許文献】
【０００６】
【特許文献１】特開２０１０−２５８６０６号公報
【特許文献２】国際公開第２０１３／１１１７７２号
【発明の概要】
【発明が解決しようとする課題】
【０００７】
トラフィックボンディングでは、複数の無線回線を介して送信されたデータフレームは、受信側の無線伝送装置においてパケットに組立てられる（復元される）。ここで、データフレームを送信する回線は、無線回線であることから回線状態は常に一定では無い。そのため、複数の無線回線のうち、特定の無線回線の回線状態が悪化する場合や特定の無線回線のみが切断される場合等が想定される。この場合、受信側の無線伝送装置では、特定の無線回線を介して受信されるデータフレームが遅延したり、または受信が出来なくなる。その結果、受信側の無線伝送装置では、一部のデータフレームが受信出来ないために、この一部のデータフレームを含むパケットを組立てることが出来なくなる。この状態で、受信側の無線伝送装置が、後続のデータフレームを受信し、後続のデータフレームをパケットとして組立てることが可能であったとしても、上記一部のデータフレームが受信出来ないために、後続のパケットも組立処理が出来なくなる。
【０００８】
このように、一部のデータフレームが受信出来ていないことに起因して、後続のデータフレームもパケットに組立てることが出来なくなり遅延が生じてしまう（以下、この遅延を組立遅延と称する）。組立遅延が発生すると、複数の無線回線を伝送する際の伝送効率を上げたとしても通信品質は低下してしまう。
【０００９】
ここで、特許文献１に開示された技術は、伝送効率を向上させることを可能とするが、伝送遅延が大きく、通信品質を向上させる技術とはなっていない。また、特許文献２に開示された技術は、優先度が高いトラフィックの遅延を抑えることを可能とするが、その分伝送効率が低下してしまうという課題がある。すなわち、特許文献１および２に開示された技術は、伝送効率を維持しつつ、通信品質を向上させる技術とはなっていない。
【００１０】
本開示の目的は、このような問題を解決するためになされたものであり、伝送効率を維持すると共に通信品質を向上させることが可能な無線伝送装置、データ処理方法、プログラムおよび無線伝送システムを提供することである。
【課題を解決するための手段】
【００１１】
第１の態様にかかる無線伝送装置は、他の無線伝送装置において、１つのデータから分割された分割データであって、前記分割データの識別情報を含む分割データを受信する通信部と、前記識別情報に関連付けられた複数の組立メモリと、前記分割データに設定された前記識別情報を用いて、前記分割データをいずれかの組立メモリに振り分けるメモリ振分部と、を備える無線伝送装置である。
【００１２】
第２の態様にかかるデータ処理方法は、他の無線伝送装置において、１つのデータから分割された分割データであって、前記分割データの識別情報を含む分割データを受信し、前記分割データに設定された前記識別情報を用いて、前記識別情報に関連付けられた複数の組立メモリのうちのいずれかの組立メモリに振り分ける、データ処理方法である。
【００１３】
第３の態様にかかるプログラムは、他の無線伝送装置において、１つのデータから分割された分割データであって、前記分割データの識別情報を含む分割データを受信することと、前記分割データに設定された前記識別情報を用いて、前記識別情報に関連付けられた複数の組立メモリのうちのいずれかの組立メモリに振り分けることと、をコンピュータに実行させるプログラムである。
【００１４】
第４の態様にかかる無線伝送システムは、第１の無線伝送装置と、前記第１の無線伝送装置と通信を行う第２の無線伝送装置と、を備え、前記第１の無線伝送装置は、１つのデータから分割データに分割し、前記分割データに前記分割データの識別情報を設定する分割部と、前記分割データを送信する第１の通信部と、を備え、前記第２の無線伝送装置は、前記第１の無線伝送装置から前記分割データを受信する第２の通信部と、前記識別情報に関連付けられた複数の組立メモリと、前記分割データに設定された前記識別情報を用いて、前記分割データをいずれかの組立メモリに振り分けるメモリ振分部と、を備える無線伝送システムである。
【発明の効果】
【００１５】
上述の態様によれば、伝送効率を維持すると共に通信品質を向上させることが可能となる。
【図面の簡単な説明】
【００１６】
【図１】実施の形態の概要にかかる無線伝送装置の構成例を示すブロック図である。
【図２】実施の形態１にかかる無線伝送システムの構成例を示すブロック図である。
【図３】実施の形態１にかかる無線伝送装置（送信側）の構成例を示すブロック図である。
【図４】ユーザデータおよびデータフレームの構成例を説明する図である。
【図５】実施の形態１にかかる無線伝送装置（受信側）の構成例を示すブロック図である。
【図６】実施の形態１にかかる無線伝送装置の動作例を示すフローチャートである。
【図７】実施の形態２にかかる無線伝送装置（受信側）の構成例を示すブロック図である。
【図８】実施の形態２にかかる無線伝送装置の動作例を示すフローチャートである。
【図９】実施の形態３にかかる無線伝送装置（受信側）の構成例を示すブロック図である。
【図１０】実施の形態３にかかる無線伝送装置の動作例を示すフローチャートである。
【図１１】実施の形態４にかかる無線伝送装置（受信側）の構成例を示すブロック図である。
【図１２】実施の形態４にかかる無線伝送装置の動作例を示すフローチャートである。
【図１３】実施の形態５にかかる無線伝送装置（受信側）の構成例を示すブロック図である。
【図１４】実施の形態５にかかるメモリ振分部の動作概念を説明する図である。
【図１５】実施の形態５にかかる無線伝送装置の動作例を示すフローチャートである。
【図１６】他の実施の形態にかかる無線伝送装置の構成例を示す概略構成図である。
【発明を実施するための形態】
【００１７】
（実施の形態の概要）
実施の形態の説明に先立って、実施の形態の概要を説明する。まず、図１を用いて、実施の形態の概要にかかる無線伝送装置１の構成例を説明する。図１は、実施の形態の概要にかかる無線伝送装置の構成例を示すブロック図である。無線伝送装置１は、トラフィックボンディングに対応する無線伝送装置である。無線伝送装置１は、通信部２と、複数の組立メモリ３＿１〜３＿Ｎ（Ｎ：２以上の整数）と、メモリ振分部４と、を備える。
【００１８】
通信部２は、（図示しない）他の無線伝送装置において、１つのデータから分割された分割データであって、分割データの識別情報を含む分割データを受信する。
【００１９】
組立メモリ３＿１〜３＿Ｎは、受信した分割データに含まれる識別情報に関連付けられたメモリである。組立メモリ３＿１〜３＿Ｎは、他の無線伝送装置において、１つのデータから分割データに分割した際の順序で、受信した分割データをデータに組立てる（復元する）メモリである。複数の組立メモリは、分割データに含まれる識別情報の数に応じて設けられていてもよい。また、分割データの識別情報は、優先度、宛先等であってもよい。なお、本明細書においては、分割データをデータに組立てることと、分割データをデータに復元することとは同じことを意味する。
【００２０】
メモリ振分部４は、分割データに設定された識別情報を用いて、分割データをいずれかの組立メモリに振り分ける。メモリ振分部４は、通信部２が受信した分割データのヘッダ情報を参照して、識別情報を判別してもよい。
【００２１】
以上説明した様に、無線伝送装置１は、分割データの識別情報に関連付けられた複数の組立メモリ３＿１〜３＿Ｎを設けている。メモリ振分部４は、分割データに設定された識別情報を用いて、複数の組立メモリ３＿１〜３＿Ｎのいずれかに分割データを振り分ける。すなわち、複数の組立メモリ３＿１〜３＿Ｎにおいて、並列的に分割データをデータに組立てることを行う。そのため、無線伝送装置１を用いることにより、一部の分割データが受信出来ないことに起因して生じる組立遅延を低減することが可能となる。したがって、実施の形態の概要にかかる無線伝送装置１を用いることにより、伝送効率を維持しつつ、通信品質を向上させることが可能となる。
【００２２】
ここで、特許文献１において、受信側の無線伝送装置は、２つのメモリ（複数のメモリ）を有している。しかしながら、特許文献１においては、受信側の無線伝送装置は、受信したＭＲＬフレームを受信した順序に従って、１つ目のメモリブロックに振り分ける。受信側の無線伝送装置は、１つ目のメモリブロックに設けられたアドレスおよびメモリに順に格納した後、ＭＲＬフレームを格納するメモリブロックを２つ目のメモリブロックに切り替える。すなわち、特許文献１に開示された技術は、２つのメモリは開示されているが、受信したＭＲＬフレームをシーケンシャルに処理する。そのため、特許文献１に開示された技術では、各メモリブロックにおいて、ＭＲＬフレームの一部が受信出来ていない場合、後続のＭＲＬフレームも組立てることが出来ない。すなわち、特許文献１に開示された技術では組立遅延が生じる。一方、実施の形態の概要にかかる無線伝送装置１を用いることにより、組立遅延を低減することが可能となる。したがって、実施の形態の概要にかかる無線伝送装置１は、特許文献１に開示された技術と異なり、特許文献１に開示された技術よりも通信品質を向上させることが可能となる。
【００２３】
また、特許文献１に開示された技術では、送信側の無線伝送装置は、ＭＲＬフレームのヘッダにメモリブロック番号、メモリアドレスおよびメモリ番号を付与する。換言すると、送信側の無線伝送装置は、受信側の無線伝送装置のメモリ構成を把握する必要がある。一方、実施の形態の概要にかかる無線伝送装置１によれば、送信側の無線伝送装置は、受信側の無線伝送装置のメモリ構成を意識する必要がない。そのため、実施の形態の概要にかかる無線伝送装置１は、特許文献１に開示された技術が有しない有利な効果も有する。
【００２４】
（実施の形態１）
以下、図面を参照しつつ、本開示の実施形態について説明する。なお、実施形態において、同一の要素には、同一の符号を付し、重複する説明は省略される。
＜無線伝送システムの構成例＞
まず、図２を用いて、実施の形態１にかかる無線伝送システム１００について説明する。図２は、実施の形態１にかかる無線伝送システムの構成例を示すブロック図である。無線伝送システム１００は、無線伝送装置１０および無線伝送装置２０を備える。無線伝送装置１０および無線伝送装置２０は、４つの無線回線（無線回線Ｌ１〜Ｌ４）を介して接続されている。無線伝送装置１０および無線伝送装置２０は、４つの無線回線を介して無線通信が可能である。なお、図２には、４つの無線回線が記載されているが、無線回線は３つ以下であってもよいし、５つ以上であってもよい。なお、説明を行う上で便宜的に、無線伝送システム１００は、無線回線は４つであるとして説明を行う。
【００２５】
無線伝送装置１０は、ユーザ回線３００と接続されている。無線伝送装置２０は、ユーザ回線３０１と接続されている。ユーザ回線３００および３０１は、例えば、通信事業者またはプロバイダ事業者等のネットワークと接続される回線である。無線伝送装置１０および２０は、ユーザ回線３００および３０１を介してユーザデータを送受信する。ユーザ回線３００および３０１は、例えば、イーサネット（登録商標）が用いられてもよい。
【００２６】
無線伝送装置１０は、４つのアンテナ１０１〜１０４を有する。アンテナ１０１は、無線回線Ｌ１を介して電波を送受信する。アンテナ１０２は、無線回線Ｌ２を介して電波を送受信する。アンテナ１０３は、無線回線Ｌ３を介して電波を送受信する。アンテナ１０４は、無線回線Ｌ４を介して電波を送受信する。
【００２７】
同様に、無線伝送装置２０は、４つのアンテナ２０１〜２０４を有する。アンテナ２０１は、無線回線Ｌ１を介して電波を送受信する。アンテナ２０２は、無線回線Ｌ２を介して電波を送受信する。アンテナ２０３は、無線回線Ｌ３を介して電波を送受信する。アンテナ２０４は、無線回線Ｌ４を介して電波を送受信する。
【００２８】
ここで、無線伝送装置１０および無線伝送装置２０は、１つのトラフィックに対して４つの無線回線Ｌ１〜無線回線Ｌ４をボンディングして無線通信を行う。このように、無線伝送装置１０および無線伝送装置２０は、複数の無線回線をボンディングすることによって伝送容量を確保する。
【００２９】
また、無線伝送装置１０は、ユーザ回線３００を介してユーザデータをパケットとして受信し、そのパケットを複数のデータフレームに分割する。ここで、パケットは、実施の形態の概要におけるデータに対応する。また、データフレームは、実施の形態の概要における分割データに対応する。なお、以降の説明において、ユーザデータを単にパケットと称して記載することがある。
【００３０】
無線伝送装置１０は、無線回線Ｌ１〜無線回線Ｌ４のトータルの帯域情報に基づいて、受信したユーザデータに対して帯域制御を行う。無線伝送装置１０は、帯域制御がなされたユーザデータを複数のデータフレームに分割し、複数のデータフレームの各々を、無線回線Ｌ１〜無線回線Ｌ４のいずれかを介して無線伝送装置２０に対して送信する。
【００３１】
無線伝送装置２０は、無線回線Ｌ１〜無線回線Ｌ４を介して無線伝送装置１０から複数のデータフレームを受信する。無線伝送装置２０は、複数のデータフレームを受信すると、複数のデータフレームを組立てて、元のユーザデータをパケットとして生成する。詳細は後述する。
【００３２】
なお、以降の説明では、無線伝送装置１０から無線伝送装置２０に対してデータが伝送されることを前提として説明するが、無線伝送装置２０から無線伝送装置１０に対してデータが伝送されてもよい。以下の説明では、データの送信側である無線伝送装置１０の構成と、データの受信側である無線伝送装置２０の構成とを分けて説明する。しかしながら、説明を行う上で異なる構成として説明をしているだけであって、無線伝送装置１０および無線伝送装置２０は、同じ構成要素であってもよい。つまり、無線伝送装置１０または無線伝送装置２０は、無線伝送装置１０の構成および無線伝送装置２０の構成の両方の構成を有していてもよい。
【００３３】
＜無線伝送装置１０の構成例＞
次に、図３を用いて、無線伝送装置１０の構成例について説明する。図３は、実施の形態１にかかる無線伝送装置（送信側）の構成例を示すブロック図である。無線伝送装置１０は、ユーザ回線３００を介して受信したユーザデータを無線伝送装置２０に送信する無線伝送装置である。無線伝送装置１０は、帯域制御部１１と、分割部１２と、回線振分部１３と、無線送信部１４＿１〜１４＿４と、を備える。
【００３４】
帯域制御部１１は、ユーザ回線３００を介して受信したユーザデータをパケットとして受信する。帯域制御部１１は、無線回線のトータルの帯域情報を示す帯域制御情報に従って、受信したユーザデータに対して帯域制御を行う。つまり、帯域制御部１１は、帯域制御情報に示された伝送レートで受信したユーザデータを伝送するように制御を行う。帯域制御部１１は、帯域制御がなされたユーザデータを、分割部１２に対して出力する。
【００３５】
分割部１２は、帯域制御がなされたユーザデータを、固定長のデータフレームに分割する。分割部１２は、分割したデータフレームの各々にヘッダ情報を付加する。
ここで、図４を用いて、ユーザデータおよびデータフレームの構成の一例について説明する。図４は、ユーザデータおよびデータフレームの構成例を示す図である。
【００３６】
分割部１２は、ユーザ回線３００を介して、図４（Ａ）に例示するユーザデータを受信する。図４（Ａ）に例示するように、ユーザデータは、ヘッダと、ユーザデータの内容を示すペイロードと、誤り検出情報とを含む。
【００３７】
ヘッダには、ユーザデータに関する情報が設定される。ヘッダには、例えば、宛先アドレスと、送信元アドレス、ＶＬＡＮ（Virtual Local Area Network）  ＩＤ（Identity）、ユーザデータの優先度等を含んでもよい。宛先アドレスは、ユーザデータの送信先の装置のアドレスであって、例えば、送信先のＭＡＣ（Media Access Control）アドレスであってもよい。送信元アドレスは、送信元の装置のアドレスであって、例えば、送信元のＭＡＣアドレスであってもよい。ＶＬＡＮ  ＩＤは、ユーザデータが送信されるユーザのＩＤであって、宛先に関する情報である。宛先に関する情報として、ＶＬＡＮ  ＩＤの代わりに、ＩＰ（Internet Protocol）アドレスが用いられてもよいし、ＶＬＡＮ  ＩＤに加えて、ＩＰアドレスがさらに用いられてもよい。ユーザデータの優先度は、例えば、ＶＬＡＮのＣｏＳ（Class of Service）等の優先度であってもよい。また、ヘッダには、例えば、ペイロードのプロトコルやペイロードのデータ長が含まれてもよい。
誤り検出情報は、例えば、ＣＲＣ（Cyclic Redundancy Check）等を用いてデータ誤りを検出するための情報である。
【００３８】
分割部１２は、ユーザデータをデータ部分＃１〜＃Ｍ（Ｍは２以上の整数）に分割する。ここで、データ部分＃１〜＃Ｍのサイズは、互いに同じであってもよい。データ部分＃１〜＃Ｍのサイズは、例えば、２５６バイトの予め定められた固定長であってもよいし、異なるサイズであってもよい。
【００３９】
分割部１２は、分割したデータ部分＃１〜＃Ｍのそれぞれに、ヘッダ＃１〜＃Ｍおよび誤り検出情報を付加する。ヘッダ＃１〜＃Ｍのサイズは互いに同じであってもよい。また、誤り検出情報は、各データにおいて同じサイズであってもよいし、異なっていてもよい。データ部分＃１〜＃Ｍのサイズが同じである場合、データ部分＃１〜＃Ｍのそれぞれとヘッダ＃１〜＃Ｍとが結合したデータフレームは、図４（Ｂ）に示すように、互いに同じサイズとなる。以降の説明では、データフレームのサイズは、互いに同じサイズであるとして説明を行う。
【００４０】
ヘッダ＃１〜＃Ｍには、例えば、データ部分＃１〜＃Ｍの順序情報（シーケンスナンバー）、ユーザデータ（パケット）の先頭を表すＳＯＰ（Start Of Packet）、ユーザデータ（パケット）の終了を表すＥＯＰ（End Of Packet）、およびユーザデータの優先度が設定される。ヘッダ＃１〜＃Ｍに設定される情報は、データフレームを識別するための情報であるので、ヘッダ＃１〜＃Ｍには、データフレームの識別情報が設定されているとも言える。なお、以降の説明において、データフレームのヘッダ＃１〜＃Ｍを、単にヘッダ情報と称して記載することがある。また、ユーザデータの優先度を単に優先度と称して記載することがある。
【００４１】
データフレームのヘッダに設定される優先度は、パケットのヘッダに設定された優先度に関連する優先度である。例えば、パケットのヘッダに設定された優先度がＶＬＡＮのＣｏＳ値である場合、ＣｏＳ値が０〜５のパケットから分割されたデータフレームのヘッダに、優先度「低」が設定されてもよい。また、ＣｏＳ値が６および７のパケットから分割されたデータフレームのヘッダに、優先度「高」が設定されてもよい。本実施の形態では、「高」または「低」の２つの優先度が設定されるとして説明を行う。なお、データフレームのヘッダに設定される優先度は、同一のパケットから分割されたデータフレームには、同一の優先度が設定される。
また、誤り検出情報は、例えば、ＣＲＣ（Cyclic Redundancy Check）等を用いてデータ誤りを検出するための情報である。
【００４２】
図３に戻り、回線振分部１３について説明を行う。回線振分部１３は、無線回線Ｌ１〜Ｌ４の無線帯域に従って、分割部１２において分割されたデータフレームを、各無線回線に振り分ける。回線振分部１３は、各データフレームを、振り分ける無線回線に対応する無線送信部（無線送信部１４＿１〜１４＿４のいずれか）に出力する。無線伝送装置１０は、トラフィックボンディングに対応しているため、回線振分部１３は、分割された複数のデータフレームを無線回線の無線帯域に合わせて、ラウンドロビンに各無線回線に振り分ける。これによって、無線帯域を最大限に活用して大容量伝送を実現する。
【００４３】
なお、回線振分部１３は、データフレームのヘッダ情報に設定した優先度が高いデータフレームを、無線帯域が広い無線回線に対応する無線送信部に優先的に振り分けるようにしてもよい。もしくは、無線送信部１４＿１〜１４＿４が無線回線Ｌ１〜Ｌ４の回線状態を監視し、回線振分部１３に回線状態を通知する。回線振分部１３は、データフレームのヘッダ情報に設定した優先度が高いデータフレームを、回線状態が良い無線回線に対応する無線送信部に優先的に振り分けるようにしてもよい。
【００４４】
無線送信部１４＿１〜１４＿４は、無線回線Ｌ１〜Ｌ４に対応して設けられる無線送信部である。無線送信部１４＿１〜１４＿４は、回線振分部１３によって振り分けられたデータフレームを、無線回線Ｌ１〜Ｌ４を介して無線伝送装置２０に送信する。具体的には、無線送信部１４＿１は、無線回線Ｌ１に対応し、無線回線Ｌ１に振り分けられたデータフレームを無線伝送装置２０に送信する。同様に、無線送信部１４＿２〜１４＿４のそれぞれは、無線回線Ｌ２〜Ｌ４のそれぞれに対応し、無線回線Ｌ２〜Ｌ４のそれぞれに振り分けられたデータフレームを無線伝送装置２０に送信する。
【００４５】
また、無線送信部１４＿１〜１４＿４のそれぞれは、対応する無線回線Ｌ１〜Ｌ４の無線帯域の情報を帯域制御情報として帯域制御部１１および回線振分部１３に送信する。なお、図３においては、無線送信部１４＿１〜１４＿４は、各無線回線に対応して設けられているが、１つの無線送信部であってもよいし、４以外の数の無線送信部が設けられてもよい。
【００４６】
＜無線伝送装置２０の構成例＞
次に、図５を用いて、無線伝送装置２０の構成例について説明する。図５は、実施の形態１にかかる無線伝送装置（受信側）の構成例を示すブロック図である。無線伝送装置２０は、実施の形態の概要にかかる無線伝送装置１に対応する無線伝送装置である。無線伝送装置２０は、無線伝送装置１０から複数のデータフレームを受信する無線伝送装置である。無線伝送装置２０は、受信した複数のデータフレームを、無線伝送装置１０において分割される前のパケットに組立て、ユーザ回線３０１を介してパケットを送信する。無線伝送装置２０は、無線受信部２１＿１〜２１＿４と、組立部２２と、制御部２３と、を備える。
【００４７】
無線受信部２１＿１〜２１＿４は、実施の形態の概要にかかる通信部２に対応する無線受信部である。無線受信部２１＿１〜２１＿４は、無線回線Ｌ１〜Ｌ４に対応して設けられる無線受信部である。無線受信部２１＿１〜２１＿４は、無線回線Ｌ１〜Ｌ４を介して無線伝送装置１０から送信されたデータフレームを受信する。具体的には、無線受信部２１＿１は、無線回線Ｌ１に対応し、無線回線Ｌ１を介して送信されたデータフレームを受信する。同様に、無線受信部２１＿２〜２１＿４のそれぞれは、無線回線Ｌ２〜Ｌ４のそれぞれに対応し、無線回線Ｌ２〜Ｌ４のそれぞれを介して送信されたデータフレームを受信する。無線受信部２１＿１〜２１＿４は、受信したデータフレームを組立部２２に出力する。
【００４８】
図５においては、無線受信部２１＿１〜２１＿４は、各無線回線に対応して設けられているが、１つの無線受信部であってもよいし、４以外の数の無線受信部が設けられてもよい。
【００４９】
組立部２２は、データフレームに付加されたヘッダ情報（ヘッダ＃１〜＃Ｍ）に基づいて、複数のデータフレームを組立てて、無線伝送装置１０において分割される前の分割元のパケットを生成する（復元する）。組立部２２は、データフレームに付加されていたヘッダ情報および誤り検出情報を除去し、生成したパケットを制御部２３に出力する。組立部２２は、組立メモリ２２１＿１および組立メモリ２２１＿２と、メモリ振分部２２２を備える。
【００５０】
組立メモリ２２１＿１および２２１＿２は、実施の形態の概要にかかる組立メモリ３＿１〜３＿Ｎに対応する。組立メモリ２２１＿１および２２１＿２は、無線受信部２１＿１〜２１＿４が受信した複数のデータフレームを、無線伝送装置１０が１つのパケットから複数のデータフレームに分割した際の順序に従って組立てて、分割元のパケットを生成するメモリである。組立メモリ２２１＿１および組立メモリ２２１＿２は、データフレームのヘッダ情報に設定されたユーザデータの優先度に関連付けられて設けられる。
【００５１】
具体的には、組立メモリ２２１＿１は、データフレームのヘッダ情報に設定されるユーザデータの優先度が高いデータフレームが格納されるメモリである。また、組立メモリ２２１＿２は、データフレームのヘッダ情報に設定されるユーザデータの優先度が低いデータフレームが格納されるメモリである。なお、以降の説明において、組立メモリ２２１＿１を、高優先専用メモリと称して記載することがあり、組立メモリ２２１＿２を低優先専用メモリと称して記載することがある。また、組立メモリ２２１＿１を高優先専用メモリとし、組立メモリ２２１＿２を低優先専用メモリとするが、組立メモリ２２１＿１を低優先専用メモリとし、組立メモリ２２１＿２を高優先専用メモリとしてもよい。さらに、組立メモリ２２１＿１と組立メモリ２２１＿２とを区別して説明しない場合、組立メモリ２２１と称して説明することがある。
【００５２】
組立メモリ２２１は、データフレームのヘッダ情報に設定された順序情報を用いて、分割元のパケットを組立てる。例えば、分割部１２において、１つのパケットが４つのデータフレームに分割されていたとすると、データ部分＃１〜＃４が生成され、データ部分＃１〜＃４のそれぞれには、順序情報＃１〜＃４が設定される。組立メモリ２２１は、格納されたデータフレームの順序情報を参照し、順序情報＃１のデータフレームを選択し、データ部分＃１を取り出す。次に、組立メモリ２２１は、順序情報＃２のデータフレームを選択して、データ部分＃２を取り出し、データ部分＃１と結合する。次に、組立メモリ２２１は、順序情報＃３のデータフレームを選択して、データ部分＃３をデータ部分＃１および＃２と結合する。次に、組立メモリ２２１は、順序情報＃４のデータフレームを選択して、データ部分＃４をデータ部分＃１〜＃３と結合して、分割元のパケットに組立てる。なお、この際、組立メモリ２２１は、データフレームをパケットに組立てる際に、データフレームのヘッダ情報および誤り検出情報を削除する。組立メモリ２２１は、格納されたデータフレームを組立ててパケットを復元すると、復元したパケットを制御部２３に出力する。
【００５３】
なお、組立メモリ２２１は、１つのパケットを構成する全てのデータフレームのうち、順序情報の順番にデータフレームが格納された時点でデータフレームをパケットに組立てる処理を開始してもよい。つまり、組立メモリ２２１は、順序情報＃１が設定されたデータフレームと、順序情報＃２が設定されたデータフレームと、が格納された時点で、当該データフレームをパケットに組立てる処理を開始してもよい。もしくは、組立メモリ２２１は、１つのパケットを構成する全てのデータフレームが格納された時点でデータフレームをパケットに組立てる処理を開始してもよい。つまり、組立メモリ２２１は、順序情報＃１〜＃４が設定されたデータフレームが格納された時点で、当該データフレームをパケットに組立てる処理を開始してもよい。
【００５４】
また、組立メモリ２２１は、無線回線Ｌ１〜Ｌ４のいずれかが回線断または回線状態が悪化して、例えば、順序情報＃２が設定されたデータフレームが格納されない場合には、順序情報＃２が設定されたデータフレームが格納されるまで処理を中断する。すなわち、組立メモリ２２１は、データフレームのヘッダ情報にＳＯＰが設定されたデータフレームから、ＥＯＰが設定されているデータフレームまでをパケットに組立てるまで、次のＳＯＰが設定されたデータフレームの組立処理を行わない。この場合、組立遅延が生じることとなってしまう。しかしながら、この場合でも、もう一方の組立メモリではデータフレームをパケットに組立てることが可能であるため、組立遅延は低減される。なお、このような場合、例えば、順序情報＃１が設定されたデータフレームが格納された時点で、組立メモリ２２１は、格納待ちタイマを起動して、当該タイマがタイムアウトした際に、順序情報＃２が設定されたデータフレームを無線伝送装置１０に再送する要求信号を送信してもよい。もしくは、組立メモリ２２１は、格納待ちタイマがタイムアウトした際、順序情報＃２が設定されたデータフレームの再送を要求せず、順序情報＃１が設定されたデータフレームを破棄して、次のＳＯＰが設定されたデータフレームから組立処理を再開してもよい。
【００５５】
次に、メモリ振分部２２２について説明する。メモリ振分部２２２は、実施の形態の概要にかかるメモリ振分部４に対応する。メモリ振分部２２２は、無線受信部２１＿１〜２１＿４で受信したデータフレームのそれぞれのヘッダ情報を参照して、各データフレームをいずれかの組立メモリに振り分ける。具体的には、メモリ振分部２２２は、データフレームのヘッダ情報に設定されたユーザデータの優先度を用いて、当該優先度に対応する組立メモリにデータフレームを振り分ける。データフレームに設定されたユーザデータの優先度が「高」であれば、メモリ振分部２２２は、組立メモリ２２１＿１に当該データフレームを振り分ける。一方、データフレームに設定されたユーザデータの優先度が「低」であれば、メモリ振分部２２２は、組立メモリ２２１＿２に当該データフレームを振り分ける。
【００５６】
制御部２３は、組立メモリ２２１＿１および２２１＿２から出力されたパケットの優先制御を行う。具体的には、制御部２３は、組立メモリ２２１＿１および２２１＿２から同時にパケットが出力された場合、パケットのヘッダ情報に設定されたユーザデータの優先度が高いパケットからユーザ回線３０１に送信するように制御を行う。
【００５７】
＜無線伝送装置２０の動作例＞
続いて、図６を用いて、実施の形態１にかかる無線伝送装置２０の動作例について説明する。図６は、実施の形態１にかかる無線伝送装置の動作例を示すフローチャートである。
【００５８】
まず、無線伝送装置２０は、複数の無線回線を介して、データフレームを受信する（ステップＳ１）。具体的には、無線受信部２１＿１〜２１＿４は、それぞれ無線回線Ｌ１〜無線回線Ｌ４を介して、データフレームを受信し、メモリ振分部２２２に出力する。
【００５９】
次に、無線伝送装置２０は、データフレームに設定された優先度を用いて、組立メモリ２２１＿１または２２１＿２にデータフレームを振り分ける（ステップＳ２）。具体的には、メモリ振分部２２２は、データフレームの各々のヘッダ情報に設定されたユーザデータの優先度を用いて、組立メモリ２２１＿１または２２１＿２にデータフレームを振り分ける。データフレームのヘッダ情報に設定されたユーザデータの優先度が「高」であれば、メモリ振分部２２２は、組立メモリ２２１＿１に当該データフレームを振り分ける。一方、データフレームのヘッダ情報に設定されたユーザデータの優先度が「低」であれば、メモリ振分部２２２は、組立メモリ２２１＿２に当該データフレームを振り分ける。
【００６０】
次に、無線伝送装置２０は、データフレームをパケットに組立てる（ステップＳ３）。具体的には、組立メモリ２２１は、データ部分＃１〜＃Ｍに付加されている順序情報＃１〜＃Ｍの順序で、データ部分＃１〜＃Ｍを組み立てて、パケットを復元する。組立メモリ２２１は、復元したパケットを制御部２３に出力する。
【００６１】
次に、無線伝送装置２０は、出力されたパケットに対して優先制御を行い（ステップＳ４）、パケットを送信する（ステップＳ５）。具体的には、制御部２３は、組立メモリ２２１＿１および２２１＿２から同時にパケットが出力された場合、パケットのヘッダ情報に設定されたユーザデータの優先度が高いパケットからユーザ回線３０１に送信するように制御を行う。組立メモリ２２１＿１および２２１＿２から同時に出力されたパケットが存在しない場合は、制御部２３は、受信したパケットの順番に従ってユーザ回線３０１に送信する。
【００６２】
以上説明したように、本実施の形態にかかる無線伝送装置２０は、組立メモリ２２１＿１および２２１＿２はユーザデータの優先度に関連付けられて設けられている。メモリ振分部２２２はユーザデータの優先度を用いて、組立メモリ２２１＿１または２２１＿２にデータフレームを振り分ける。つまり、無線伝送装置２０において、パケットに組立てられるデータフレームは組立メモリ２２１＿１または２２１＿２に分散される。そのため、本実施の形態にかかる無線伝送装置２０を用いることにより、データフレームをパケットに組立てる処理を複数のメモリで並列的に行えるので、組立遅延を低減することが可能となる。したがって、本実施の形態にかかる無線伝送装置２０を用いることにより、伝送効率を維持しつつ、通信品質の向上を図ることが可能となる。
【００６３】
また、本実施の形態においては、組立メモリ２２１＿１および２２１＿２には、異なる優先度のデータフレームが振り分けられることは無い。換言すると、組立メモリ２２１＿１および２２１＿２には、低遅延が要求されていない優先度が低いデータフレームと、低遅延が要求される優先度が高いデータフレームと、が混在することは無い。そのため、本実施の形態にかかる無線伝送装置２０を用いることにより、優先度が低いデータフレームが処理されないことにより、優先度が高いデータフレームが処理出来ないことによる組立遅延が生じない。したがって、本実施の形態によれば、優先度が高いデータフレームをより確実に処理が行え、通信品質を向上させることが可能となる。
【００６４】
さらに、本実施の形態においては、制御部２３は、同時に出力されたパケットに対して優先度が高いパケットを優先的に送信する優先制御を行う。そのため、本実施の形態によれば、優先度が高いパケットを低い遅延量で処理することが可能となる。したがって、本実施の形態によれば、通信品質を向上させることが可能となる。
【００６５】
（変形例）
なお、上述した実施の形態１において、データフレームのヘッダに設定される優先度は、「高」または「低」として説明した。しかしながら、これに限られず、データフレームのヘッダに設定される優先度は、例えば、パケットのヘッダ情報に設定されるＶＬＡＮのＣｏＳの値と合わせ、０〜７の８つとしてもよいし、他の値としてもよい。
【００６６】
また、データフレームのヘッダに設定される優先度を３つ以上とする場合、組立メモリは、優先度毎に設けずに、少なくとも１つの優先度を含むように構成してもよい。例えば、データフレームのヘッダに設定される優先度を０〜７とする場合、優先度７のための組立メモリ、優先度５および６のための組立メモリ、および優先度０〜４のための組立メモリのように、少なくとも１つの優先度を含むように構成してもよい。
【００６７】
（実施の形態２）
続いて、実施の形態２について説明する。実施の形態２は、実施の形態１と比較すると、無線伝送装置１０から送信されるデータフレームのヘッダ情報が異なる。また、実施の形態２は、実施の形態１における無線伝送装置２０が無線伝送装置３０に置き換わった構成である。なお、無線伝送システムの構成は、図２に示す無線伝送装置と同様に、送信側の無線伝送装置と受信側の無線伝送装置とを含む構成であり、無線伝送装置２０が無線伝送装置３０に置き換わったのみである。
【００６８】
＜無線伝送装置１０の構成例＞
次に、無線伝送装置１０の構成例について説明する。無線伝送装置１０の構成例は、図３に示す無線伝送装置１０の構成例と同様であるので、図３を参照して差分点のみを説明する。本実施の形態では、分割部１２の構成が異なる。
【００６９】
分割部１２は、実施の形態１にかかる分割部１２と同様に、帯域制御がなされたユーザデータを、固定長のデータフレームに分割し、分割したデータフレームの各々にヘッダ情報（ヘッダ＃１〜＃Ｍ）を付加する。
【００７０】
ヘッダ情報（ヘッダ＃１〜＃Ｍ）には、データ部分＃１〜＃Ｍの順序情報（シーケンスナンバー）、ユーザデータ（パケット）の先頭を表すＳＯＰ（Start Of Packet）、ユーザデータ（パケット）の終了を表すＥＯＰ（End Of Packet）が設定される。また、ヘッダ情報には、さらに、ユーザデータの宛先情報が設定される。
【００７１】
宛先情報には、例えば、データフレームに分割される前のパケットのヘッダ情報に設定されたＶＬＡＮ  ＩＤが設定される。なお、宛先情報は、ＩＰアドレスであってもよいし、ＶＬＡＮ  ＩＤとＩＰアドレスとに関連する情報であってもよい。もしくは、宛先情報は、パケットを送信する宛先となるユーザの情報が識別される情報であればよいので、ＶＬＡＮ  ＩＤおよびＩＰアドレスと異なるユーザ識別情報であってもよい。また、宛先情報は、宛先ユーザに関する情報であるので、宛先ユーザ情報とも言える。さらに、ＶＬＡＮ  ＩＤは、サービスを識別する情報とも言えるので、宛先情報は、サービス識別情報とも言える。
【００７２】
＜無線伝送装置３０の構成例＞
次に、図７を用いて、無線伝送装置３０の構成例について説明する。図７は、実施の形態２にかかる無線伝送装置（受信側）の構成例を示すブロック図である。無線伝送装置３０は、実施の形態１における組立部２２および制御部２３が、組立部３２および制御部３３に置き換わった構成である。
【００７３】
組立部３２は、組立部２２に対応し、組立部３２は基本的に組立部２２と同様の構成をしている。ただし、本実施の形態においては、実施の形態１における組立メモリ２２１＿１および２２１＿２が、組立メモリ３２１＿１〜３２１＿Ｐ（Ｐ：２以上の整数）に置き換わっている。また、本実施の形態では、実施の形態１におけるメモリ振分部２２２が、メモリ振分部３２２に置き換わっている。
【００７４】
組立メモリ３２１＿１〜３２１＿Ｐは、データフレームのヘッダ情報に設定された宛先情報毎に設けられている。１〜Ｐは、データフレームのヘッダ情報に設定された宛先情報を、組立メモリの若番から順番に割り振った番号に対応する。つまり、１番目の宛先情報は、組立メモリ３２１＿１に対応し、２番目の宛先情報は、組立メモリ３２１＿２に対応することを表している。なお、組立メモリ３２１＿１〜３２１＿Ｐのそれぞれの構成は、実施の形態１と同様である。
【００７５】
メモリ振分部３２２は、データフレームのヘッダ情報に設定された宛先情報を用いて、宛先情報に対応する組立メモリにデータフレームを振り分ける。メモリ振分部３２２は、データフレームのヘッダ情報に設定された宛先情報が１番目の宛先情報であれば、当該データフレームを組立メモリ３２１＿１に振り分ける。メモリ振分部３２２は、データフレームのヘッダ情報に設定された宛先情報が２番目の宛先情報であれば、当該データフレームを組立メモリ３２１＿２に振り分ける。
【００７６】
制御部３３は、実施の形態１における制御部２３が置き換わった構成である。制御部３３は、組立メモリ３２１＿１〜３２１＿Ｐから出力されたパケットの順序制御を行う。具体的には、制御部３３は、組立メモリ３２１＿１〜３２１＿Ｐのうち２つ以上の組立メモリから同時にパケットが出力された場合、組立メモリの若番から順に出力されたパケットをユーザ回線３０１に送信するように制御を行う。
【００７７】
なお、制御部３３は、実施の形態１と同様に、組立メモリ３２１＿１〜３２１＿Ｐのうち２つ以上の組立メモリから同時にパケットが出力された場合、パケットのヘッダ情報に設定されたユーザデータの優先度に基づいて、優先制御を行ってもよい。もしくは、宛先情報毎に優先度を設けておき、制御部３３は、宛先情報毎の優先度に基づいて、優先制御を行ってもよい。
【００７８】
＜無線伝送装置３０の動作例＞
続いて、図８を用いて、無線伝送装置３０の動作例について説明する。図８は、実施の形態２にかかる無線伝送装置の動作例を示すフローチャートである。図８は、図６に示すフローチャートに対応し、図６におけるステップＳ２とステップＳ４とが異なる。図６のステップＳ２はステップＳ１１に置き換わっており、ステップＳ４はステップＳ１２に置き換わっている。図８において、図６と同様の処理内容に対しては、同一の参照番号を付して説明を割愛し、ステップＳ１１およびステップＳ１２を説明する。
【００７９】
ステップＳ１１において、無線伝送装置３０は、データフレームのヘッダ情報に設定された宛先情報を用いて、いずれかの組立メモリにデータフレームを振り分ける（ステップＳ１１）。具体的には、メモリ振分部３２２は、データフレームのヘッダ情報に設定された宛先情報を用いて、組立メモリ３２１＿１〜３２１＿Ｐのうち、当該宛先情報に対応する組立メモリにデータフレームを振り分ける。
【００８０】
また、ステップＳ１２において、無線伝送装置３０は、組立メモリ３２１＿１〜３２１＿Ｐによって出力されたパケットに対して順序制御を行う（ステップＳ１２）。具体的には、制御部３３は、組立メモリ３２１＿１〜３２１＿Ｐのうち２つ以上の組立メモリから同時にパケットが出力された場合、組立メモリの若番から順にパケットをユーザ回線３０１に送信するように制御を行う。
【００８１】
以上説明したように、本実施の形態では、組立メモリ３２１＿１〜３２１＿Ｐは宛先情報毎に設けられており、メモリ振分部３２２はユーザデータのヘッダ情報に設定された宛先情報を用いて組立メモリを選択する。つまり、無線伝送装置３０は、データフレームを組立メモリ３２１＿１〜３２１＿Ｐに分散して振り分ける。そのため、各組立メモリにおいて、複数のパケットから分割されたデータフレームが混在する可能性が低減するので、組立遅延を低減することが可能となる。したがって、本実施の形態にかかる無線伝送装置３０を用いることにより、伝送効率を維持しつつ、通信品質の向上を図ることが可能となる。
【００８２】
また、本実施の形態においては、データフレームのヘッダ情報に設定された宛先情報を用いて、組立メモリ３２１＿１〜３２１＿Ｐに振り分けているので、各組立メモリにおいて、異なる宛先情報のデータフレームが振り分けられることは無い。そのため、異なる宛先情報のデータフレームの一部が受信出来ないことに起因した組立遅延が生じない。したがって、本実施の形態によれば、宛先情報の一部に対応するデータフレームが受信出来ない場合であっても、他の宛先情報に対応するデータフレームに影響を与えることがないので、通信品質を向上させることが可能となる。
【００８３】
（実施の形態３）
続いて、実施の形態３について説明する。実施の形態３は、実施の形態１および２を組み合わせた構成である。そのため、本実施の形態を、基本的に、実施の形態１を用いて説明し、適宜、実施の形態２を用いて説明する。本実施の形態における受信側の無線伝送装置を無線伝送装置４０とする。なお、無線伝送システムの構成は、図２と同様に、送信側の無線伝送装置と受信側の無線伝送装置とを含む構成であり、無線伝送装置２０が無線伝送装置４０に置き換わったのみである。
【００８４】
＜無線伝送装置１０の構成例＞
次に、無線伝送装置１０の構成例について説明する。無線伝送装置１０の構成例は、図３に示す無線伝送装置１０の構成例と同様であるので、図３を参照して差分点のみを説明する。本実施の形態では、分割部１２の構成が異なる。
【００８５】
分割部１２は、実施の形態１にかかる分割部１２と同様に、帯域制御がなされたユーザデータを、固定長のデータフレームに分割し、分割したデータフレームの各々にヘッダ情報（ヘッダ＃１〜＃Ｍ）を付加する。
【００８６】
ヘッダ情報には、データ部分＃１〜＃Ｍの順序情報（シーケンスナンバー）、ユーザデータ（パケット）の先頭を表すＳＯＰ（Start Of Packet）、ユーザデータ（パケット）の終了を表すＥＯＰ（End Of Packet）が設定される。また、ヘッダ情報には、さらに、ユーザデータの優先度および宛先情報が設定される。
【００８７】
なお、本実施の形態においても、ユーザデータの優先度は、「高」または「低」の２つの優先度が設定されるとして説明する。なお、ヘッダ情報に設定される優先度は、同一のパケットから分割されたデータフレームには、同一の優先度が設定される。また、宛先情報には、実施の形態２と同様に、データフレームに分割される前のパケットのヘッダ情報に設定されたＶＬＡＮ  ＩＤが設定される。なお、宛先情報は、ＶＬＡＮ  ＩＤのみに限定されず、ＩＰアドレスであってもよいし、ＶＬＡＮ  ＩＤとＩＰアドレスとに関連する情報であってもよい。もしくは、宛先情報は、ＶＬＡＮ  ＩＤおよびＩＰアドレスと異なるユーザ識別情報であってもよい。
【００８８】
＜無線伝送装置４０の構成例＞
次に、図９を用いて、無線伝送装置４０の構成例について説明する。図９は、実施の形態３にかかる無線伝送装置（受信側）の構成例を示すブロック図である。無線伝送装置４０は、実施の形態１における組立部２２が組立部４２に置き換わっている。
【００８９】
組立部４２は、組立部２２に対応する。組立部４２は基本的に組立部２２と同様の構成をしている。ただし、本実施の形態においては、実施の形態１における組立メモリ２２１＿１および２２１＿２が、組立メモリ４２１Ｈ＿１〜４２１Ｈ＿Ｐおよび組立メモリ４２１Ｌ＿１〜４２１Ｌ＿Ｐに置き換わっている。つまり、本実施の形態の組立メモリは、データフレームのヘッダ情報に設定された優先度および宛先情報の組み合わせ毎に設けられている。また、本実施の形態において、実施の形態１におけるメモリ振分部２２２がメモリ振分部４２２に置き換わっている。
【００９０】
組立メモリ４２１Ｈ＿１〜４２１Ｈ＿Ｐは、データフレームのヘッダ情報に設定された優先度が「高」に対応したメモリであって、さらに、宛先情報毎に設けられたメモリである。組立メモリ４２１Ｈ＿Ｘ（Ｘ：１〜Ｐ）は、データフレームのヘッダ情報に設定された優先度が「高」に対応したメモリであることを表している。また、１〜Ｐは、データフレームのヘッダ情報に設定された宛先情報を、組立メモリの若番から順番に割り振った番号に対応する。つまり、１番目の宛先情報は、組立メモリ４２１Ｈ＿１に対応し、２番目の宛先情報は、組立メモリ４２１Ｈ＿２に対応することを表している。
【００９１】
また、組立メモリ４２１Ｌ＿１〜４２１Ｌ＿Ｐは、データフレームのヘッダ情報に設定された優先度が「低」に対応したメモリであって、さらに、宛先情報毎に設けられたメモリである。つまり、組立メモリ４２１Ｌ＿Ｘ（Ｘ：１〜Ｐ）は、データフレームのヘッダ情報に設定された優先度が「低」に対応したメモリであることを表している。また、１〜Ｐは、データフレームのヘッダ情報に設定された宛先情報を、組立メモリの若番から順番に割り振った番号に対応する。つまり、１番目の宛先情報は、組立メモリ４２１Ｌ＿１に対応し、２番目の宛先情報は、組立メモリ４２１Ｌ＿２に対応することを表している。なお、組立メモリ４２１Ｈ＿１〜４２１Ｈ＿Ｐおよび組立メモリ４２１Ｌ＿１〜４２１Ｌ＿Ｐのそれぞれの構成は、実施の形態１と同様である。
【００９２】
メモリ振分部４２２は、データフレームのヘッダ情報に設定された優先度および宛先情報を用いて、優先度および宛先情報の組み合わせに対応する組立メモリにデータフレームを振り分ける。例えば、データフレームのヘッダ情報に設定された優先度が「高」で、データフレームの宛先情報に対応するＶＬＡＮ  ＩＤが「４」のデータフレームがメモリ振分部４２２に出力されたとする。ＶＬＡＮ  ＩＤが「４」に対応した組立メモリが組立メモリ４２１Ｈ＿４または組立メモリ４２１Ｌ＿４であったとすると、メモリ振分部４２２は、出力されたデータフレームを組立メモリ４２１Ｈ＿４に振り分ける。
【００９３】
＜無線伝送装置４０の動作例＞
続いて、図１０を用いて、無線伝送装置４０の動作例について説明する。図１０は、実施の形態３にかかる無線伝送装置の動作例を示すフローチャートである。図１０は、図６に示すフローチャートに対応し、図６におけるステップＳ２がステップＳ２１に置き換わっている。図１０において、図６と同様の処理内容に対しては、同一の参照番号を付して説明を割愛し、ステップＳ２１を説明する。
【００９４】
ステップＳ２１において、無線伝送装置４０は、データフレームのヘッダ情報に設定された優先度および宛先情報を用いて、組立メモリにデータフレームを振り分ける（ステップＳ２１）。具体的には、メモリ振分部４２２は、データフレームのヘッダ情報に設定された優先度および宛先情報の組み合わせに対応する組立メモリを、組立メモリ４２１Ｈ＿１〜４２１Ｈ＿Ｐおよび組立メモリ４２１Ｌ＿１〜４２１Ｌ＿Ｐのうちから選択する。そして、メモリ振分部４２２は、選択した組立メモリにデータフレームを振り分ける。
【００９５】
以上説明したように、本実施の形態では、組立メモリは、データフレームのヘッダ情報に設定される優先度および宛先情報の組み合わせに関連付けられて設けられている。また、メモリ振分部４２２はユーザデータのヘッダ情報に設定された優先度および宛先情報に対応する組立メモリを選択する。ここで、本実施の形態にかかる組立メモリは、実施の形態１および２よりも多く設けられている。つまり、本実施の形態にかかる無線伝送装置４０では、実施の形態１および２よりも多く設けられた組立メモリに分散してデータフレームをパケットに組立てる。そのため、無線伝送装置４０は、受信したデータフレームを実施の形態１および２よりも分散して処理することが可能となるので、各組立メモリにおいて、組立遅延を低減することが可能となる。したがって、本実施の形態にかかる無線伝送装置４０を用いることにより、実施の形態１および２よりも、組立遅延を低減して、通信品質の向上を図ることが可能となる。
【００９６】
（実施の形態４）
続いて、実施の形態４について説明する。実施の形態４は、実施の形態１〜３の改良例である。そのため、本実施の形態を、実施の形態１を用いて説明する。本実施の形態においては、実施の形態１における無線伝送装置２０が無線伝送装置５０に置き換わった構成である。なお、無線伝送システムの構成は、図２と同様に、送信側の無線伝送装置と受信側の無線伝送装置とを含む構成であり、無線伝送装置２０が無線伝送装置５０に置き換わったのみである。また、本実施の形態においては、無線伝送装置１０の構成は、実施の形態１と同様であるため説明を割愛する。
【００９７】
＜無線伝送装置５０の構成例＞
次に、図１１を用いて、無線伝送装置５０の構成例について説明する。図１１は、実施の形態４にかかる無線伝送装置（受信側）の構成例を示すブロック図である。無線伝送装置５０は、実施の形態１における組立部２２が組立部５２に置き換わっている。
【００９８】
組立部５２は、組立部２２に対応する。組立部５２は基本的に組立部２２と同様の構成をしている。ただし、本実施の形態においては、実施の形態１における組立メモリ２２１＿１および２２１＿２が、組立メモリ５２１Ｈ＿１、５２１Ｈ＿２、５２１Ｌ＿１および５２１Ｌ＿２に置き換わっている。本実施の形態では、複数の組立メモリは、優先度毎に設けられており、さらに、異なるパケットから分割された複数のデータフレームを並列的に処理可能にさらに構成されている。また、本実施の形態では、実施の形態１におけるメモリ振分部２２２がメモリ振分部５２２に置き換わっている。
【００９９】
組立メモリ５２１Ｈ＿１および５２１Ｈ＿２は、データフレームのヘッダ情報に設定された優先度が「高」に対応するメモリである。さらに、組立メモリ５２１Ｈ＿１および５２１Ｈ＿２は、Ｘ番目（Ｘ：１以上の整数）のパケットから分割された複数のデータフレームと、Ｘ＋１番目のパケットから分割された複数のデータフレームと、を並列的に処理可能に構成されている。具体的には、組立メモリ５２１Ｈ＿１は、優先度が「高」のデータフレームのうち、Ｘ番目のＳＯＰからＸ番目のＥＯＰまでの複数のデータフレームを処理する組立メモリである。組立メモリ５２１Ｈ＿２は、優先度が「高」のデータフレームのうち、Ｘ＋１番目のＳＯＰからＸ＋１番目のＥＯＰまでの複数のデータフレームを処理する組立メモリである。
【０１００】
組立メモリ５２１Ｌ＿１および５２１Ｌ＿２は、データフレームのヘッダ情報に設定された優先度が「低」に対応するメモリである。さらに、組立メモリ５２１Ｌ＿１および５２１Ｌ＿２は、Ｙ番目（Ｙ：１以上の整数）のパケットから分割された複数のデータフレームと、Ｙ＋１番目のパケットから分割された複数のデータフレームと、を並列的に処理可能に構成されている。なお、上記のＸおよびＹは同じであってもよいし、異なっていてもよい。具体的には、組立メモリ５２１Ｌ＿１は、優先度が「低」のデータフレームのうち、Ｙ番目のＳＯＰからＹ番目のＥＯＰまでの複数のデータフレームを処理する組立メモリである。組立メモリ５２１Ｌ＿２は、優先度が「低」のデータフレームのうち、Ｙ＋１番目のＳＯＰからＹ＋１番目のＥＯＰまでの複数のデータフレームを処理する組立メモリである。なお、組立メモリ５２１Ｈ＿１、５２１Ｈ＿２、５２１Ｌ＿１および５２１Ｌ＿２のそれぞれの構成は、実施の形態１と同様である。
【０１０１】
メモリ振分部５２２は、データフレームのヘッダ情報に設定された優先度を用いて、優先度に対応する組立メモリにデータフレームを振り分ける。さらに、メモリ振分部５２２は、データフレームのヘッダ情報に設定されたＳＯＰおよび順序情報を用いて、ＳＯＰおよび順序情報に対応する組立メモリにデータフレームを振り分ける。換言すると、複数の組立メモリは、データフレームに設定された優先度に関連付けて設けられ、さらに、データフレームに設定されたＳＯＰおよび順序情報に関連付けられているとも言える。また、メモリ振分部５２２は、データフレームに設定されたＳＯＰおよび順序情報をさらに用いて、いずれかの組立メモリにデータフレームを振り分けるとも言える。
【０１０２】
具体的には、メモリ振分部５２２は、データフレームのヘッダ情報に設定されたＳＯＰを検出することにより、Ｚ番目（Ｚ：１以上の整数）のパケットの先頭を示すデータフレームであることを検出可能である。また、メモリ振分部５２２は、順序情報を確認することにより、Ｚ番目のＳＯＰに対応するＺ番目のＥＯＰであるかを確認することが可能である。さらに、メモリ振分部５２２は、順序情報を確認することにより、Ｚ番目のパケットから分割されたデータフレームであることを確認することが可能である。同様に、メモリ振分部５２２は、データフレームのヘッダ情報に設定されたＳＯＰおよび順序情報を用いることにより、Ｚ＋１番目のパケットから分割されたデータフレームであることも確認が出来る。そのため、メモリ振分部５２２は、同一優先度のデータフレームのうち、Ｚ番目のＳＯＰからＥＯＰまでの複数のデータフレームとＺ＋１番目のＳＯＰからＥＯＰまでの複数のデータフレームとが異なる組立メモリに格納されるようにデータフレームを振り分ける。
【０１０３】
なお、メモリ振分部５２２は、同一優先度が設定されたデータフレームのうち、Ｚ＋２番目以降については、Ｚ＋２番目のＳＯＰからＥＯＰまでの複数のデータフレームを組立メモリ５２１Ｈ＿１に振り分ける。また、メモリ振分部５２２は、同一の優先度が設定されたデータフレームのうち、Ｚ＋３番目のＳＯＰからＥＯＰまでの複数のデータフレームを組立メモリ５２１Ｈ＿２に振り分ける。つまり、メモリ振分部５２２は、出力されたデータフレームのＳＯＰの順番に応じて、出力されたデータフレームをラウンドロビンに組立メモリに振り分ける。
【０１０４】
なお、図１１では、優先度「高」および優先度「低」に対して、それぞれ２つの組立メモリが設けられているが、当然ながら、２つよりも多くの数を設けていてもよい。この場合も、メモリ振分部５２２は、上記と同様に構成すればよい。
【０１０５】
＜無線伝送装置５０の動作例＞
続いて、図１２を用いて、無線伝送装置５０の動作例について説明する。図１２は、実施の形態４にかかる無線伝送装置の動作例を示すフローチャートである。図１２は、図６に示すフローチャートに対応し、図６におけるステップＳ２が異なる。図１２において、図６と同様の処理内容に対しては、同一の参照番号を付して説明を割愛し、ステップＳ３１を説明する。
【０１０６】
ステップＳ３１において、無線伝送装置５０は、データフレームのヘッダ情報に設定された優先度、ＳＯＰおよび順序情報を用いて、いずれかの組立メモリにデータフレームを振り分ける（ステップＳ３１）。具体的には、メモリ振分部５２２は、データフレームのヘッダ情報に設定された優先度を用いて、優先度に対応する組立メモリにデータフレームを振り分ける。さらに、メモリ振分部５２２は、同一優先度のデータフレームのうち、Ｚ番目のＳＯＰからＥＯＰまでの複数のデータフレームとＺ＋１番目のＳＯＰからＥＯＰまでの複数のデータフレームとが異なる組立メモリに格納されるようにデータフレームを振り分ける。
【０１０７】
以上説明したように、本実施の形態では、組立メモリは、優先度毎に設けられ、さらに、Ｚ番目のパケットから分割された複数のデータフレームと、Ｚ＋１番目のパケットから分割された複数のデータフレームと、を並列的に処理可能に構成されている。メモリ振分部５２２は、同一優先度のデータフレームのうち、Ｚ番目のＳＯＰからＥＯＰまでの複数のデータフレームとＺ＋１番目のＳＯＰからＥＯＰまでの複数のデータフレームとが異なる組立メモリに格納されるようにデータフレームを振り分ける。
【０１０８】
そのため、本実施の形態にかかる無線伝送装置５０を用いることにより、同一の優先度のデータフレームに対しても、さらに分散してデータフレームをパケットに組立てる処理を行うことから、本実施の形態においても、組立遅延がさらに低減される。したがって、本実施の形態によれば、伝送効率を維持しつつ、通信品質を向上させることが可能となる。
【０１０９】
（実施の形態５）
続いて、実施の形態５について説明する。実施の形態５は、実施の形態１〜４の改良例である。そのため、本実施の形態を、実施の形態１を用いて説明する。本実施の形態においては、実施の形態１における無線伝送装置２０が無線伝送装置６０に置き換わった構成である。なお、無線伝送システムの構成は、図２と同様に、送信側の無線伝送装置と受信側の無線伝送装置とを含む構成であり、無線伝送装置２０が無線伝送装置６０に置き換わったのみである。また、本実施の形態においては、無線伝送装置１０の構成は、実施の形態１と同様であるため説明を割愛する。
【０１１０】
＜無線伝送装置６０の構成例＞
次に、無線伝送装置６０の構成例について説明する。図１３は、実施の形態５にかかる無線伝送装置（受信側）の構成例を示すブロック図である。無線伝送装置６０は、実施の形態１における組立部２２が組立部６２に置き換わっている。
【０１１１】
組立部６２は、組立部２２に対応する。組立部６２は、基本的に組立部２２と同様の構成をしている。ただし、本実施の形態では、実施の形態１の構成に補助メモリ６２１が追加されている。また、本実施の形態では、実施の形態１におけるメモリ振分部２２２がメモリ振分部６２２に置き換わっている。
【０１１２】
補助メモリ６２１は、組立メモリ２２１＿１または２２１＿２において、パケットに復元中のデータフレームが所定の条件を満たしている場合に、当該復元中のデータフレームが退避されるメモリである。なお、図１３において、補助メモリは１つのみが記載されているが、２つ以上設けられていてもよい。
【０１１３】
所定の条件は、ヘッダ情報にＳＯＰが設定されたデータフレームが格納された後、当該ＳＯＰに対応するＥＯＰが設定されたデータフレームが格納される前に、次のＳＯＰが設定されたデータフレームが格納されたことであってもよい。もしくは、所定の条件は、ヘッダ情報にＳＯＰが設定されたデータフレームが格納された後、所定時間内に、当該ＳＯＰが設定されたデータフレームの次の順序情報が設定されたデータフレームが格納されなかったことであってもよい。もしくは、所定の条件は、ヘッダ情報にＳＯＰが設定されたデータフレームが格納された後、所定時間内に、当該ＳＯＰに対応するＥＯＰが設定されたデータフレームが格納されなかったことであってもよい。もしくは、所定の条件は、上記のうち、２つ以上を含む条件であってもよい。
【０１１４】
メモリ振分部６２２は、組立メモリ２２１＿１および２２１＿２の各々に対して、復元中のデータフレームが上記の所定の条件を満たしているか否かを判定する。また、メモリ振分部６２２は、復元中のデータフレームが所定の条件を満たす組立メモリが存在する場合、当該組立メモリから復元中のデータフレームを補助メモリ６２１に退避させる。
【０１１５】
ここで、図１４を用いて、メモリ振分部６２２の動作概念について説明する。図１４は、実施の形態５にかかるメモリ振分部の動作概念を説明する図である。前提として、データフレーム＃１〜＃４は、パケット＃１から分割されたデータフレームであり、データフレーム＃５〜＃７は、パケット＃２から分割されたデータフレームであるとする。データフレーム＃１および＃５のヘッダ情報には、ＳＯＰが設定されている。また、データフレーム＃４および＃７のヘッダ情報には、ＥＯＰが設定されている。データフレーム＃ａ（ａ：１以上の整数）は、ａ番目のデータフレームであることを示している。つまり、データフレーム＃ａの順序情報は、順序情報＃ａであることを表している。また、所定の条件は、ヘッダ情報にＳＯＰが設定されたデータフレームを受信した後、当該ＳＯＰに対応するＥＯＰがヘッダ情報に設定されたデータフレームを受信する前に、次のＳＯＰが設定されたデータフレームを受信したこととする。
【０１１６】
図１４は、一例として、組立メモリ２２１＿１を用いて説明する図であるが、組立メモリ２２１＿２においても同様である。図１４に示すように、組立メモリ２２１＿１において、１つ目のパケット＃１から分割されたデータフレーム＃１〜＃４のうち、データフレーム＃１〜＃３のみが格納されている。ここで、データフレーム＃１〜＃３は、パケットに復元中のデータフレームである。また、データフレーム＃４が格納されておらず、データフレーム＃５〜＃７は、データフレーム＃４の前に格納されている。つまり、組立メモリ２２１＿１では、ＥＯＰが設定されたデータフレーム＃４が格納される前に、次のＳＯＰが設定されたデータフレーム＃５が格納されているため、所定の条件を満たしていることを示している。この場合、組立メモリ２２１＿１では、データフレーム＃４が格納されないため、パケット＃１は復元できない。
【０１１７】
一方、データフレーム＃５〜＃７は格納されており、パケット＃２は復元することが可能であるが、パケット＃１が復元できないため、パケット＃２を復元できず組立遅延が生じてしまう。そこで、メモリ振分部６２２は、組立メモリ２２１＿１において、パケットに復元中のデータフレームが所定の条件を満たしているかを判定し、所定の条件を満たしている場合、復元中のデータフレームを補助メモリ６２１に退避する。図１４に示す一例では、復元中のデータフレーム＃１〜＃３が所定の条件を満たしているので、メモリ振分部６２２は、データフレーム＃１〜＃３を補助メモリ６２１に退避する。データフレーム＃１〜＃３が補助メモリ６２１に退避されると、データフレーム＃５〜＃７は、パケット＃２に復元することが出来るので、組立メモリ２２１＿１は、パケット＃２を復元して出力することが可能となる。このようにすることで、組立メモリ２２１＿１において、パケット＃１が処理出来ないことによって、パケット＃２が処理出来ないことを解消する。つまり、このようにすることで、組立遅延を低減することが可能となる。
【０１１８】
なお、メモリ振分部６２２は、データフレーム＃４が出力された場合、復元中のデータフレームを組立メモリ２２１＿１に再度移動して、組立メモリ２２１＿１において、データフレーム＃１〜＃４をパケット＃１に復元するように制御してもよい。もしくは、メモリ振分部６２２は、データフレーム＃４が出力された場合、データフレーム＃４を補助メモリ６２１に格納するように制御し、補助メモリ６２１において、データフレーム＃１〜＃４をパケット＃１に復元するように制御してもよい。
【０１１９】
＜無線伝送装置６０の動作例＞
続いて、図１５を用いて、実施の形態５にかかる無線伝送装置６０の動作例について説明する。図１５は、実施の形態５にかかる無線伝送装置の動作例を示すフローチャートである。図１５は、図６に示すフローチャートに対応し、図６に示すフローチャートに、ステップＳ４１およびＳ４２が追加されている。図１５において、図６と同様の処理内容については、図６と同一の参照番号を付して説明を割愛する。
【０１２０】
ステップＳ３において、組立メモリ２２１＿１および２２１＿２は、データフレームをパケットに組立てる（ステップＳ３）。メモリ振分部６２２は、組立メモリ２２１＿１および２２１＿２において、復元中のデータフレームが上記の所定の条件を満たしているかを判定する（ステップＳ４１）。
【０１２１】
なお、メモリ振分部６２２は、定期的にステップＳ４１を行ってもよい。もしくは、メモリ振分部６２２は、ヘッダ情報にＳＯＰが設定されたデータフレームをいずれかの組立メモリに振り分けるタイミングでステップＳ４１を行ってもよい。もしくは、メモリ振分部６２２は、ヘッダ情報にＥＯＰが設定されたデータフレームをいずれかの組立メモリに振り分けるタイミングでステップＳ４１を行ってもよい。
【０１２２】
ステップＳ４１において、復元中のデータフレームが所定の条件を満たしている場合（ステップＳ４１のＹＥＳ）、メモリ振分部６２２は、復元中のデータフレームを補助メモリ６２１に退避させ（ステップＳ４２）、ステップＳ３に戻る。補助メモリ６２１に復元中のデータフレームが退避された組立メモリは、格納されているデータフレームをパケットに復元する処理を行い（ステップＳ３）、復元したパケットを制御部２３に出力する。
【０１２３】
ステップＳ４１において、復元中のデータフレームが所定の条件を満たしていない場合（ステップＳ４１のＮＯ）、組立メモリ２２１＿１および２２１＿２は、格納されたデータフレームをパケットに復元することが出来るので、処理を継続する。
【０１２４】
以上説明した様に、本実施の形態では、複数の組立メモリのいずれかにおいて、復元中のデータフレームが所定の条件を満たしている場合、メモリ振分部６２２は、復元中のデータフレームを補助メモリに退避させる。つまり、メモリ振分部６２２は、復元中のデータフレームが所定の条件を満たしているデータフレームが存在する組立メモリにおいて、組立遅延が発生していることを判定することが出来る。そのため、メモリ振分部６２２は、復元中のデータフレームを補助メモリに退避することにより、組立遅延によって後続のデータフレームをパケットに復元することが出来ないことを解消する。したがって、本実施の形態にかかる無線伝送装置６０を用いることにより、上述した実施の形態よりも組立遅延を解消することが出来る。すなわち、本実施の形態にかかる無線伝送装置６０を用いることによって、上述した実施の形態よりも通信品質を向上させることが可能となる。
【０１２５】
（他の実施の形態）
図１６は、上述した実施の形態において説明した無線伝送装置１、２０、３０、４０、５０および６０（以下、無線伝送装置１等と称する）の構成例を示すブロック図である。図１６を参照すると、無線伝送装置１等は、ネットワーク・インターフェース１２０１、プロセッサ１２０２、及びメモリ１２０３を含む。ネットワーク・インターフェース１２０１は、無線伝送装置１０を含む他の無線伝送装置と通信するために使用される。ネットワーク・インターフェース１２０１は、例えば、IEEE 802.3 seriesに準拠したネットワークインターフェースカード（NIC）を含んでもよい。
【０１２６】
プロセッサ１２０２は、メモリ１２０３からソフトウェア（コンピュータプログラム）を読み出して実行することで、上述の実施形態においてフローチャートを用いて説明された無線伝送装置１等の処理を行う。プロセッサ１２０２は、例えば、マイクロプロセッサ、MPU（Micro Processing Unit）、又はCPU（Central Processing Unit）であってもよい。プロセッサ１２０２は、複数のプロセッサを含んでもよい。
【０１２７】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【０１２８】
図１６の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明された無線伝送装置１等の処理を行うことができる。
【０１２９】
図１６を用いて説明したように、無線伝送装置１等が有するプロセッサの各々は、図面を用いて説明されたアルゴリズムをコンピュータに行わせるための命令群を含む１または複数のプログラムを実行する。
【０１３０】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３１】
なお、本開示は上記実施の形態に限られたものではなく、趣旨を逸脱しない範囲で適宜変更することが可能である。また、本開示は、それぞれの実施の形態を適宜組み合わせて実施されてもよい。
【符号の説明】
【０１３２】
１、１０、２０、３０、４０、５０、６０  無線伝送装置
２  通信部
３＿１〜３＿Ｎ、２２１＿１、２２１＿２、３２１＿１〜３２１＿Ｐ、４２１Ｈ＿１〜４２１Ｈ＿Ｐ、４２１Ｌ＿１〜４２１Ｌ＿Ｐ、５２１Ｈ＿１、５２１Ｈ＿２、５２１Ｌ＿１、５２１Ｌ＿２  組立メモリ
４、２２２、３２２、４２２、５２２、６２２  メモリ振分部
１１  帯域制御部
１２  分割部
１３  回線振分部
１４＿１〜１４＿４  無線送信部
２１＿１〜２１＿４  無線受信部
２２、３２、４２、５２、６２  組立部
２３、３３  制御部
１００  無線伝送システム
１０１〜１０４、２０１〜２０４  アンテナ
３００、３０１  ユーザ回線
６２１  補助メモリ
【図１】
2019134251.tif 000003
【図２】
2019134251.tif 000004
【図３】
2019134251.tif 000005
【図４】
2019134251.tif 000006
【図５】
2019134251.tif 000007
【図６】
2019134251.tif 000008
【図７】
2019134251.tif 000009
【図８】
2019134251.tif 000010
【図９】
2019134251.tif 000011
【図１０】
2019134251.tif 000012
【図１１】
2019134251.tif 000013
【図１２】
2019134251.tif 000014
【図１３】
2019134251.tif 000015
【図１４】
2019134251.tif 000016
【図１５】
2019134251.tif 000017
【図１６】
2019134251.tif 000018